(57)【要約】【課題】標準型回路遮断器と高遮断容量型回路遮断器からなる遮断器群において、製作に柔軟性を有するとともに在庫負担を軽減できるうえ、配電盤を簡単に構成できる、より定格電流が大きい高遮断容量型回路遮断器を提供する。【解決手段】開閉ユニットケース４、第１開閉接触子５，６、電源側端子５ａ、消弧装置１１、ハンドルレバー１３、トリップレバー、上リンク１５、下リンク１６、操作ばね１９及び第１ラッチ機構２０を有する開閉ユニット１と、第２固定接触子４１、第２可動接触子４３、接続板４４、可とうリード線４５、消弧装置４７及び限流ユニットケース４８を有する第１の限流ユニット３８と、負荷側端子２４、バイメタル２５、電磁石２６、第２ラッチ機構２７及び第２引外しユニットケース５０を有する第２の引外しユニット３９とを、別々に組み立てて結合する。【選択図】  図１
2004227900.tif 000002
【特許請求の範囲】
【請求項１】
電源側端子を含む開閉接触子、前記開閉接触子を操作する開閉機構及び消弧装置を有する開閉ユニットの負荷側に過電流引外し装置及び負荷側端子を装着した第１の引外しユニットを密着して配置することによって構成された第１の回路遮断器を正面から見たときの投影形状と実質的に同等の正面投影形状を有する第２の回路遮断器であって、
電磁反発形開閉接触子を装着した第１の限流ユニットを前記開閉ユニットの底面に密着して配置するとともに過電流引外し装置と負荷側端子を装着した第２の引外しユニットを前記開閉ユニット及び前記第１の限流ユニットの双方の負荷側に密着して配置し、前記開閉接触子と前記電磁反発形開閉接触子と前記第２の引外しユニットの過電流引外し装置と前記第２の引外しユニットの負荷側端子を直列に接続したことを特徴とする回路遮断器。
【請求項２】
電源側端子を含む開閉接触子、前記開閉接触子を操作する開閉機構及び消弧装置を有する開閉ユニットの負荷側に過電流引外し装置及び負荷側端子を装着した第１の引外しユニットを密着して配置することによって構成された第１の回路遮断器を正面から見たときの投影形状と実質的に同等の正面投影形状を有する第３の回路遮断器であって、
過電流引外し装置と負荷側端子を装着した第３の引外しユニットをその電源側が前記開閉ユニットの負荷側に密着するように配置するとともに、前記第３の引外しユニットと前記開閉ユニットをそれらの底面が電磁反発形開閉接触子を装着した第２の限流ユニットの上面に密着するように配置し、前記開閉接触子と前記電磁反発形開閉接触子と前記第３の引外しユニットの過電流引外し装置と前記第３の引外しユニットの負荷側端子を直列に接続したことを特徴とする回路遮断器。
【発明の詳細な説明】
【０００１】
【産業上の利用分野】
この発明は、開閉接触子、開閉機構、過電流引外し装置などが絶縁ケースに収納された回路遮断器に関する。
【０００２】
【従来の技術】
回路遮断器には、電路に電流を連続的に通電する責務、電路を人為的にＯＮ・ＯＦＦ操作できる責務及び電路が過電流状態になったとき過電流を自動的に遮断して電路をＯＦＦする過電流保護の責務が課せられている。これらの責務を全うするため、開閉接触子、開閉接触子を操作する開閉機構、過電流が流れたことを検知して開閉機構を介して開閉接触子を開離させる過電流引外し装置を備えるとともにこれらを絶縁ケース内に収納した構成の回路遮断器がある。
【０００３】
この回路遮断器の性能を示す定格事項として、定格電流及び定格遮断容量がある。定格電流はその回路遮断器に連続的に通電できる最大電流値であって、定格電流を超える電流が流れると過電流引外し装置が動作して電流が遮断される。また、定格遮断容量は、その回路遮断器が遮断できる電流値の最大値であって、標準的な定格遮断容量を有する回路遮断器（以下、標準型回路遮断器という。）及びより大きい定格遮断容量を有する回路遮断器（以下、高遮断容量型回路遮断器という。）がある。前者が開閉機構によって操作される一組の開閉接触子を有しているのに対して、後者は開閉機構によって操作される一組の開閉接触子と直列に接続された二組目の電磁反発形の開閉接触子を備えることによって構成できる。
【０００４】
このような回路遮断器において、定格遮断容量が同一で定格電流が異なる複数の回路遮断器群を、定格電流によって異なる部材を除いて同一の構成とするのが一般的である。すなわち、このような構成にすることにより、多くの部材が共通部品となるため生産上望ましく、また、同一外形となるため複数の回路遮断器を一つの配電盤に容易にかつ整然と取り付けることができる。しかし、従来は、このような回路遮断器群は定格電流ごとに完成品として在庫していたため、在庫スペース上及び経理上大きな在庫負担があった。この問題を解決するため、定格電流によって異なる部材が実質的に過電流引外し装置に含まれていることに注目して、過電流引き外し装置と過電流引き外し装置以外の部材とを別々のユニットとして構成する方法が採用されていた。（以下、それぞれ引外しユニット及び開閉ユニットという。）この方法によれば、定格電流毎の引外しユニットの合計数より少ない数量の開閉ユニットを組み立てて在庫しておけばよい。そして、注文があったとき、開閉ユニットと注文の定格電流の引外しユニットを結合して出荷し、開閉ユニットが所定の在庫数以下になったとき新たに開閉ユニットを追加生産して在庫することによって在庫スペースや在庫負担を軽減できる。
【０００５】
標準型回路遮断器と高遮断容量型回路遮断器の関係においても同様であり、定格遮断容量によって異なる部材を除き互いに同一部材を利用した構造であることが、部材の共通化が図れて生産上望ましい。また、両遮断器間で共通のユニットを利用できれば在庫上も好ましい。特に、同一外形であれば、定格遮断容量の異なる複数の回路遮断器を一つの配電盤に取り付ける場合に、配電盤を容易にかつ整然と構成できる。しかし開閉接触子が一組の標準型回路遮断器と二組の高遮断容量型回路遮断器の外形を同一に構成することは極めて困難であるので、少なくとも正面から見たときの投影形状が等しくなるように構成すれば配電盤を正面から見たとき整然とした形で構成できる。
【０００６】
図７は、特開２００２−１４０９７１号公報に開示されている回路遮断器と同等の構成を有する３極型の標準型回路遮断器の中央極を側面から見た断面を示している。この回路遮断器は特許請求の範囲に記載の第１の回路遮断器に相当する標準型回路遮断器である。
図７を参照して、この標準型回路遮断器は開閉ユニット１、第１の引外しユニット２及び開閉ユニット１と第１の引外しユニット２の双方を覆うカバー３からなっている。
開閉ユニット１はその構成部材が開閉ユニットケース４に取り付けられている。５及び６は開閉接触子を構成するそれぞれ固定接触子及び可動接触子であり固定接触子５の一端５ａは電源側端子となっており、さらに、７はリード端子、８は可動接触子６とリード端子７を接続する可とうリード線、９は可動接触子６を回転自在に保持する３極分が一体化されたクロスバー、１０は可動接触子６を時計方向に付勢して可動接触子６と固定接触子５との間に接触圧力を発生させる接圧ばね、１１は消弧装置であり、これらの部材は各極ごとに開閉ユニットケース４の内部に設けられている。
また、１２は開閉機構のフレーム、１３及び１４はフレーム１２に回転自在に設けられたそれぞれハンドルレバー及びトリップレバー、１５及び１６はトリップレバー１４とクロスバー９との間に設けられた上リンク及び下リンク、１７は上リンク１５と下リンク１６とを連結するリンク軸、１８は下リンク１６とクロスバー９を連結するクロスバー軸、１９はハンドルレバー１３とリンク軸１７との間に設けられた操作ばね、２０はトリップレバー１４の端部と係合してトリップレバー１４の時計方向の回転を阻止する第１ラッチ機構、ハンドルレバー１３に装着されている２１は開閉機構を操作する操作ハンドルで、これらの部材は開閉ユニットケース４の外部であって中央極に取り付けられている。
【０００７】
第１の引外しユニット２はその構成部材が第１引外しユニットケース２２に取り付けられており、２３はその一端に負荷側端子２４が接続されたヒータ、２５はヒータ２３の熱によって湾曲するバイメタル、２６は電磁石であって、２７はバイメタル２５又は電磁石２６が動作したとき係合が解消する第２ラッチ機構である。定格電流の違いによって相違する部材は、各極ごとに設けられているヒータ２３、バイメタル２５及び電磁石２６である。
【０００８】
開閉ユニット１と第１の引外しユニット２は、開閉ユニットケース４の負荷側と第１引外しユニットケース２２の電源側が密着するように配置され、ねじ２８とナットによってリード端子７とヒータ２３の電源側端部２３ａが締結されることによって一体化されている。さらにカバー３を一体化された両ユニットの正面と側面を覆うように取り付けることによってこの従来の標準型回路遮断器が構成されている。
図８、図９及び図１０は、それぞれ開閉ユニット１、第１の引外しユニット２及びカバー３を示している。開閉ユニット１及び第１の引外しユニット２とカバー３との結合は、開閉ユニットケース４及び第１引外しユニットケース２２の側面に形成されたそれぞれ矩形の突起４ａ及び２２ａをカバー３の側面に形成された一群の矩形の孔３ａに嵌め込むことによって行われる。
【０００９】
この回路遮断器の動作を簡単に説明する。図７はＯＮ状態を示しており、操作ばね１９の作用によりリンク軸１７が上方に付勢されることによって、トリップレバー１４と上リンク１５の当接部２９を介してトリップレバー１４が時計方向に付勢されているが、その端部１４ａが第１ラッチ機構２０と係合しているためその回転が阻止されている。一方、当接部２９、リンク軸１７及びクロスバー軸１８が略一直線上に有り、その結果上リンク１５と下リンク１６が直線状となっておりクロスバー９が時計回転した状態になっている。すなわち、可動接触子６が固定接触子５に接触した状態となっている。
このＯＮ状態において操作ハンドル２１を反時計方向に回転させて、操作ばね１９の作用線が当接部２９の右から左へ移動しとき、上リンク１５と下リンク１６がリンク軸１７においてく字状に折れ曲がり、クロスバー９が反時計方向に回転して可動接触子６が固定接触子５から開離したＯＦＦ状態となる。ＯＦＦ状態からＯＮ状態にするには操作ハンドル２１を時計方向に回転すればよい。
【００１０】
次に、ＯＮ状態においてこの回路遮断器に過電流が流れるとバイメタル２５又は電磁石２６が動作して第２ラッチ機構２７の係合が解消し、この解消動作により第１ラッチ機構２０の係合が解消し第１ラッチ機構２０とトリップレバー１４の係合が解消しトリップレバー１４が時計方向に回転する。この結果、上リンク１５と下リンク１６が上方に移動しクロスバー９が反時計方向に回転して可動接触子６が固定接触子５から開離したトリップ状態となる。
なお、この回路遮断器は、比較的大きな電流が流れると、上述のトリップ動作が完了するより速く、可動接触子６と固定接触子５の接触部において発生する電磁反発力によって可動接触子６が固定接触子５から瞬時に開離するため中程度の大きな電流を遮断することができる。標準型回路遮断器には、開閉機構によって操作される開閉接触子が電磁反発型でないものもあるが、このような遮断器の定格遮断容量は低い。
【００１１】
図１１は、特開２００２−５６７６１号公報に開示されている従来の高遮断容量型回路遮断器の一部を破断した側面断面図である。この高遮断容量型回路遮断器は、以下に説明するような電流通路となる部材と、後述する２組の開閉接触子に対応して設けられた消弧装置３０、３１と、図示されていない上述した標準型回路遮断器と同様の開閉機構及び過電流引外し装置とを絶縁ケース内に収納した構成となっている。この高遮断容量型回路遮断器の電流通路は電源側端子板３２、可とうリード線３３、第１可動接触子３４、上側及び下側に接触部を有する固定接触子３５、開閉機構によって動作する第２可動接触子３６並びに図示されていない可とうリード線及び過電流引外し装置を経由して負荷側端子板３７にいたる。すなわち、この電流通路は２組の開閉接触子を有しており、短絡電流のような大きな電流が流れると、電磁反発力により一方の開閉接触子部材である第１可動接触子３４が時計回転し固定接触子３５（下側）から瞬時に開離する。同時に、前述の図１０の回路遮断器と同様に、他方の開閉接触子部材である第２可動接触子３６も、トリップ動作による開閉機構の動作を待たずに電磁反発力により反時計回転して固定接触子３５（上側）から瞬時に開離する。このように、短絡電流に対して瞬時に２個所でアークが発生するためアーク抵抗が急速に増大して電流遮断が容易になる。すなわち、図１０に示されている標準型回路遮断器に比較して高遮断容量型の回路遮断器となっている。
【００１２】
なお、高遮断容量型回路遮断器には、標準型回路遮断器において説明したような開閉機構によって操作される電磁反発型でない開閉接触子と、この開閉接触子と直列に電磁反発力によって開離する開閉接触子が直列に接続されたものがある。このような遮断器は短絡電流が流れたとき瞬時に開離するのは１個所であるため図１１に示される遮断器よりも低い定格遮断容量となるが、開閉機構によって操作される開閉接触子が電磁反発型でない標準型回路遮断器に比較して高遮断容量型の回路遮断器を構成できる。
【００１３】
特開２００２−５６７６１号公報には開示されていないが、上述した従来の高遮断容量型回路遮断器は、従来の標準型回路遮断器と比べて、奥行寸法に関してＤ１とＤ２（Ｄ１＜Ｄ２）の違いはあるものの、正面から見たときの投影形状が等しいように形成されている。また、この高遮断容量型回路遮断器も、開閉ユニット、引外しユニット及び両ユニットの双方を覆うカバーとからなっており、両ユニットを別々に在庫できるという特徴と、前述した従来の標準型回路遮断器と共通部品も多く生産性がよく、配電盤を整然と構成できるものであった。
【特許文献１】特開２００２−１４０９７１号公報
【特許文献２】特開２００２−５６７６１号公報
【００１４】
【発明が解決しようとする課題】
回路遮断器は定格電流を連続的に通電したとき各部の温度が所定の温度上昇限度を超えてはならない。したがって、同じ大きさで異なる定格電流のものを含む回路遮断器群において、より大きい定格電流の回路遮断器を構成するためには各部の温度上昇をできるだけ低く抑える必要がある。上述した特開２００２−５６７６１号公報による発明は、図１１に示されているような二組の開閉接触子が近接して設けられた高遮断容量型回路遮断器において、接触部分における温度上昇をできるだけ抑制することによって、より定格電流の大きい回路遮断器を構成することを目的として、固定接触子３５を延長して放熱作用を持たせるという技術内容であった。しかし、温度上昇は抑制されたものの、さらに大きな定格電流の要求に対してはこの技術では限度があった。
したがって、本発明の目的は、標準型回路遮断器と高遮断容量型回路遮断器からなる遮断器群において、生産に柔軟性を有するとともに在庫負担を軽減できるうえ、配電盤を簡単に構成できる、より定格電流が大きい高遮断容量型回路遮断器を提供することにある。
【００１５】
【課題を解決するための手段】
上記目的を達成するために、この発明は、電源側端子を含む開閉接触子、前記開閉接触子を操作する開閉機構及び消弧装置を有する開閉ユニットの負荷側に過電流引外し装置及び負荷側端子を装着した第１の引外しユニットを密着して配置することによって構成された第１の回路遮断器を正面から見たときの投影形状と実質的に同等の正面投影形状を有する第２又は第３の回路遮断器であって、第２の回路遮断器は電磁反発形開閉接触子を装着した第１の限流ユニットを開閉ユニットの底面に密着して配置するとともに過電流引外し装置と負荷側端子を装着した第２の引外しユニットを開閉ユニット及び前記第１の限流ユニットの双方の負荷側に密着して配置して開閉接触子と電磁反発形開閉接触子と第２の引外しユニットの過電流引外し装置と負荷側端子を直列に接続して構成し、第３の回路遮断器は過電流引外し装置と負荷側端子を装着した第３の引外しユニットをその電源側が開閉ユニットの負荷側に密着するように配置するとともに第３の引外しユニットと開閉ユニットをそれらの底面が電磁反発形開閉接触子を装着した第２の限流ユニットの上面に密着するように配置して開閉接触子と電磁反発形開閉接触子と第３の引外しユニットの過電流引外し装置と負荷側端子を直列に接続することとしている。
【００１６】
このような構成において、第１の回路遮断器は開閉機構によって操作される開閉接触子を一組有する標準型回路遮断器であって、第２及び第３の回路遮断器は開閉機構によって操作される開閉接触子と直列に接続された大きな電流によって瞬時に電磁反発して開離する電磁反発型開閉接触子を有する高遮断容量型回路遮断器であって、開閉ユニット、第１の引外しユニット、第１又は第２の限流ユニット及びそれぞれ第２又は第３の引外しユニットを予め組み立てておき、開閉ユニットと第１の引外しユニットを結合させることによって第１の回路遮断器を完成させることができ、開閉ユニットと第１の限流ユニットと第２の引外しユニットを結合させることによって第２の回路遮断器を完成させることができ、開閉ユニットと第２の限流ユニットと第３の引外しユニットを結合させることによって第３の回路遮断器を完成させることができる。
【００１７】
【発明の実施の形態】
本発明の実施の形態を、図１ないし図６に示されている実施例において説明する。なお、前述した従来の標準型回路遮断器と実質的に同等である部材については同一の符号を付してその説明は省略する。
本実施例の回路遮断器は、図８、図２、図３及び図４に示されているそれぞれ開閉ユニット１、第１の限流ユニット３８、第２の引外しユニット３９及びカバー４０とに分割できる。図１を参照して、第１の限流ユニット３８は開閉ユニット１の底部に密着して設けられ、第２の引外しユニット３９は開閉ユニット１と第１の限流ユニット３８の負荷側に密着して設けられている。なお、開閉ユニット１は前述した従来の標準型回路遮断器の開閉ユニットと同一のものであるためその説明を省略する。
【００１８】
第１の限流ユニット３８は、第２固定接触子４１、接触子軸４２によって回転自在に支持された第２固定接触子４１と平行に設けられる第２可動接触子４３、接続板４４、第２可動接触子４３と接続板４４を接続する可とうリード線４５、第２可動接触子４３を時計方向に付勢する接圧ばね４６、消弧装置４７及びこれらの部材を収納する限流ユニットケース４８を有する。第２固定接触子４１と第２可動接触子４３は後述するように大電流による電磁力によって反発する電磁反発型開閉接触子を構成する。
【００１９】
第２の引外しユニット３９は、負荷側端子２４、バイメタル２５、電磁石２６、第２ラッチ機構２７、ヒータ４９及びこれらの部材を収納する第２引外しユニットケース５０を有する。前述の標準型回路遮断器の第１の引外しユニット２と第２の引外しユニット３９とが相違する主な点は、第１引外しユニットケース２２と第２引外しユニットケース５０の奥行寸法の違いであり、後述するようにヒータ２３とヒータ４９の形状及び接続相手の部材の違いである。第１引外しユニットケース２２と第２引外しユニットケース５０の奥行寸法は、図９及び図３に示されているそれぞれｄ１及びｄ２（ｄ１＜ｄ２）であり、第２引外しユニットケース５０の奥行寸法ｄ２はその底面と限流ユニットケース４８の底面が同一平面上になるような寸法になっている。
【００２０】
この実施例の回路遮断器は、上述の開閉ユニット１、第１の限流ユニット３８及び第２の引外しユニット３９をあらかじめ個別に組み立てておき、これらのユニット及びカバー４０を次のように結合することによって完成される。まず、第１の限流ユニット３８を開閉ユニット１の底部に配置し限流ユニットケース４８の底部の孔４８ａから工具を挿入し接続板４４とリード端子７とをねじ２８によって締結し接続する。次に、開閉ユニット１と第１の限流ユニット３８との負荷側に第２の引外しユニット３９を配置し第２引外しユニットケース５０の孔５０ａから工具を挿入し、ヒータ４９の接続端部４９ａとねじ孔が形成された第２固定接触子４１とをねじ５１によって締結し接続する。
開閉ユニット１とカバー４０は、開閉ユニットケース４の側面に形成された一群の矩形の突起４ａをカバー４０の側面に形成された一群の上部の矩形の孔４０ａに嵌め込んで結合される。第１の限流ユニット３８とカバー４０は、限流ユニットケース４８の側面に形成された一群の矩形の突起４８ｂをカバー４０の側面に形成された下部の一群の矩形の孔４０ｂに嵌め込んで結合される。
【００２１】
この本実施例の回路遮断器の動作について説明する。まず、電流の通路は、固定接触子５→可動接触子６→可とうリード線８→リード端子７→接続板４４→可とうリード線４５→第２可動接触子４３→第２固定接触子４１→ヒータ４９→負荷側端子２４である。そして、操作ハンドル２１を操作する開閉動作及び比較的小さい過電流が流れた時のトリップ動作は前述の従来の標準型回路遮断器と同じである。一方、短絡電流のような大きな電流が流れたとき、第１開閉接触子を構成する固定接触子５と可動接触子６との接触点において発生する電磁反発力により接圧ばね１０に抗して可動接触子６が反時計方向に回転して接触点が開離する。この開離動作と並行して、第２固定接触子４１と第２可動接触子４３との平行部分及びその接触点における電磁反発力により、接圧ばね４６に抗して第２可動接触子４３が反時計方向に回転しその接触点が開離する。このように直列に配置されている二組の開閉接触子が同時にしかも瞬時に開離するためより大きな短絡電流をより確実に遮断できる。
【００２２】
なお、本実施例の回路遮断器は、開閉機構によって操作される開閉接触子が大電流により発生する電磁反発力により接圧ばね１０に抗して可動接触子６が反時計方向に回転して瞬時に固定接触子５から開離する構造となっている。しかし、この開閉接触子が電磁反発しない構造のものであっても、大電流による電磁反発力によって電磁反発型開閉接触子の第２固定接触子４１から第２可動接触子４３が瞬時に開離するため、本実施例の場合より定格遮断容量は低下するが電磁反発型開閉接触子がない場合よりも定格遮断容量は高くなる。
【００２３】
次に、この実施例の回路遮断器と前述の従来の標準型回路遮断器とを外形に関して比較する。図７と図１を参照して、それぞれの奥行寸法Ｄ１及びＤ３（Ｄ１＜Ｄ３）は第１の限流ユニット３８の有無により異なる。しかし、縦寸法Ｈは同一である。また、図５は本実施例の回路遮断器の正面から見た図を示しており、この図は前述の従来の標準型回路遮断器を正面から見た図と同一である。すなわち、カバー４０とカバー３とは正面から見たときの縦寸法Ｈ及び幅寸法Ｗが同一であり、且つ、正面デザインも同一である。また、開閉ユニット１，第１の限流ユニット３８及び第２の引外しユニット３９はカバー４０の縦横の寸法からはみ出ることなく組み立てられているため、両遮断器を正面から見たときのデザイン及び投影形状は同一である。
【００２４】
このようにユニット部材によって構成されている本実施例による回路遮断器は次のような柔軟性がある。すなわち、１）開閉ユニット１、第１の限流ユニット３８、第２の引外しユニット３９及びカバー４０を組合せて上述のような過電流保護機能を有する高遮断電流型回路遮断器を構成でき、２）図示はされていないが、過電流保護機能に加えて漏電保護機能を第２引外しユニットケース５０内に収納した漏電引外しユニットを第２の引外しユニット３９の代わりに結合して本実施例と同一外形の漏電遮断器を構成でき、３）開閉ユニット１、第１の引外しユニット２及びカバー３を組合せて前述の従来の標準型回路遮断器を構成できる。以上の１）、２）及び３）によって構成した回路遮断器は、互いに正面から見た投影形状が同一である。
【００２５】
また、本実施例では、開閉ユニット１と第１の限流ユニット３８の負荷側に密着するように第２の引外しユニット３９を配置しているが、詳細な図示と説明は省略するが、図６のごとく第２の限流ユニット５２を負荷側に長く構成し第２の限流ユニット５２の上面に密着するように第２の引外しユニット３９と同じ機能を有する第３の引外しユニット５３と開閉ユニット１とを配置するように構成してもよい。
【００２６】
【発明の効果】
本発明は、以上説明した形態で実施され、標準型回路遮断器と高遮断容量型回路遮断器の開閉ユニットを共用できるほか、高遮断容量型回路遮断器の構成ユニットである限流ユニットを定格電流の相違などによる複数の引外しユニットに対して共用できるため、生産管理が容易になり在庫負担も軽減できるとともに、正面投影形状が同等であるため配電盤をより簡単に、且つ、整然と構成できるという効果を奏する。
【図面の簡単な説明】
【図１】本発明による回路遮断器の実施例の側面断面図である。
【図２】図１の回路遮断器の限流ユニットの斜視図である。
【図３】図１の回路遮断器の引外しユニットの斜視図である。
【図４】図１の回路遮断器のカバーの斜視図である。
【図５】図１の回路遮断器の正面図である。
【図６】本発明による回路遮断器の他の実施例の概略側面図である。
【図７】従来の標準型回路遮断器の側面断面図である。
【図８】図１及び図７に共通の開閉ユニットの斜視図である。
【図９】図７の回路遮断器の第１の引外しユニットの斜視図である。
【図１０】図７の回路遮断器のカバーの斜視図である。
【図１１】従来の高遮断容量型回路遮断器の一部を破断した側面図である。
【符号の説明】
１  開閉ユニット
２  第１の引外しユニット
３  カバー
４  開閉ユニットケース
５  固定接触子
６  可動接触子
７  リード端子
８  可とうリード線
２１  操作ハンドル
２２  第１引外しユニットケース
２３  ヒータ
２４  負荷側端子
２５  バイメタル
２６  電磁石
２７  第２ラッチ機構
２８  ねじ
３８  第１の限流ユニット
３９  第２の引外しユニット
４０  カバー
４１  第２固定接触子
４３  第２可動接触子
４４  接続板
４５  可とうリード線
４７  消弧装置
４８  限流ユニットケース
４９  ヒータ
５０  第２引外しユニットケース
５１  ねじ
５２  第２の限流ユニット
５３  第３の引外しユニット
【図１】
2004227900.tif 000003
【図２】
2004227900.tif 000004
【図３】
2004227900.tif 000005
【図４】
2004227900.tif 000006
【図５】
2004227900.tif 000007
【図６】
2004227900.tif 000008
【図７】
2004227900.tif 000009
【図８】
2004227900.tif 000010
【図９】
2004227900.tif 000011
【図１０】
2004227900.tif 000012
【図１１】
2004227900.tif 000013